(57)【要約】【課題】複数の線材が間隔をおいて組み付けて構成される受具を吊ボルトに吊設する金具において、受具の底壁で吊設することにより、受具両側壁で吊設する必要がないため、例えば幅方向において一本の吊ボルトでも吊設ができ、簡便な吊設作業にて設置可能な吊具を提供すること。【解決手段】複数の線材が間隔をおいて組み付けされて構成される配線・配管材用受具を吊ボルトに吊設するための吊具であって、前記受具の底壁を構成すべく配設される少なくとも二本の線材間に、前記長手方向における適宜位置で架設可能に設けられるとともに、前記架設された状態で前記受具に対して固定されるように設けられてなり、前記吊ボルトに取着されることにより、前記受具を該吊ボルトに吊設状態に設置するものである。【選択図】図２
2004015850.tif 000002
【特許請求の範囲】
【請求項１】
複数の線材が間隔をおいて組み付けされて構成される配線・配管材用受具を吊ボルトに吊設するための吊具であって、
前記受具の底壁を構成すべく配設される少なくとも二本の線材間に、前記長手方向における適宜位置で架設可能に設けられるとともに、前記架設された状態で前記受具に対して固定されるように設けられてなり、
前記吊ボルトに取着されることにより、前記受具を該吊ボルトに吊設状態に設置することを特徴とする配線・配管材用受具の吊具。
【請求項２】
請求項１に記載の配線・配管材用受具の吊具において、
当該吊具が架設される少なくとも二本の線材は、前記受具の布設路を構成する線材であり、
前記受具を布設路において吊設することを特徴とする配線・配管材用受具の吊具。
【請求項３】
請求項１に記載の配線・配管材用受具の吊具において、
当該吊具が架設される少なくとも二本の線材は、前記受具の長手方向に沿って配設される線材であり、
前記受具を、該受具の長手方向における随意の箇所にて吊設することを特徴とする配線・配管材用受具の吊具。
【請求項４】
請求項１から請求項３の何れかに記載の配線・配管材用受具の吊具において、
前記受具の長手方向に沿って配設される線材間における架設位置を該受具の幅方向に移動可能とすべく、架設される線材を変更して該受具に固定可能であることを特徴とする配線・配管材用受具の吊具。
【請求項５】
請求項１から請求項４の何れかに記載の配線・配管材用受具の吊具において、
前記吊具は、前記線材を両側から挟持する一対の扶持体で構成され、前記挟持体による線材の挟持により、前記受具に対して固定されることを特徴とする配線・配管材用受具の吊具。
【請求項６】
請求項５に記載の配線・配管材用受具の吊具において、
前記吊具は、前記吊ボルトが貫通する貫通部を有し、前記貫通部を貫通した吊ボルトに螺嵌された一対の絞付体で前記一対の扶持体を両側から絞付けることにより、前記挟持体により受具に対し固定されるとともに、前記受具を吊ボルトに吊設状態に設置することを特徴とする配線・配管材用受具の吊具。
【請求項７】
複数の線材が間隔をおいて組み付けされて構成される配線・配管材用受具と、請求項１から請求項６の何れかに記載の吊具とを有することを特徴とする吊設装置。
【請求項８】
複数の線材が間隔をおいて組み付けされて構成される配線・配管材用受具を吊ボルトに吊設する方法であって、
吊ボルトが天井等から吊り下げられる所定の吊り下げ位置に対応するように、前記受具を構成する少なくとも二本の線材間に吊設体を架設して固定し、
前記吊り下げ位置に吊り下げられた吊ボルトに前記吊設体を固定して、前記受け具を吊ボルトに吊設させることを特徴とする配線・配管材受け具の吊設方法。
【発明の詳細な説明】
【０００１】
【発明の属する技術分野】
本発明は、天井から垂設された吊ボルトに配線配管材用受具を吊設するための吊具に関し、特に、前記吊ボルトを受具の底壁に固定して吊設する吊具に関するものである。
【０００２】
【従来の技術】
従来より、断面略樋状に形成される配線・配管材用受具を建物の天井から垂設された吊ボルトに吊設するには、図４に示す吊り金具にて、図５に示すように、該吊ボルトに支持固定される吊金具を該受具の両側壁に取着することにより行われている。
【０００３】
しかし前記従来技術に係る吊設方法にあっては、前記吊金具を受具の両側壁に取着することが不可欠であることから大量の吊金具が必要であり、当該金具を吊ボルトに支持させる作業、及び、該金具を受具に取着する作業を要するため、煩に堪えないものであった。
【０００４】
また、受具の両側壁に取着することから、当該受具の幅に対応する間隔にて吊ボルトを天井から垂設しなければならず、該吊ボルトを吊設するためのインサートを埋設する箇所を、厳密に割り出す必要があった。
【０００５】
さらに、吊ボルトの吊設位置が受具の幅方向又は長手方向において大きくズレていると荷重バランスに偏りが発生し、受具が実質的に片側側壁のみで吊設されている状態（片吊り状態）となり、極めて不安定な吊設状態となって危険である。
【０００６】
なお、受具の両側に配置された吊ボルトに対して該受具を吊設すると、該吊ボルトが障害となるために、受具側方からケーブルを布設することが困難となる。そのため、該受具を吊ボルトに吊設した後にケーブルを布設するにあっては、該ケーブルを布設路上において引き回す必要が生じ、大変な布設作業を要するという問題があった。
【０００７】
一方、受具を吊ボルトに吊設する他の方法としては、図６に示すように、形鋼材等により構成されるハンガーの両側を吊ボルトに吊設し、前記ハンガー上に受具を載置固定する方法があるが、かかる場合もハンガーを吊設する際に上記と同様の問題があった。
【０００８】
本発明は、上記諸問題につき種々検討したところ、受具をその底壁にて吊設することによって解決可能であることに気付きなされたものであり、その解決しようとする課題は以下に示すものである。
【０００９】
【発明が解決しようとする課題】
即ち本発明は、複数の線材が間隔をおいて組み付けて構成される受具を吊ボルトに吊設する金具において、受具の底壁で吊設することにより、受具両側壁で吊設する必要がないため、例えば幅方向において一本の吊ボルトでも吊設ができ、簡便な吊設作業にて設置可能な吊具を提供することを目的とするものである。
【００１０】
【課題を解決するための手段】
上記課題を解決するために、本発明の採った手段を以下に示す。
【００１１】
まず、請求項１に係る発明は、複数の線材が間隔をおいて組み付けされて構成される配線・配管材用受具を吊ボルトに吊設するための吊具であって、前記受具の底壁を構成すべく配設される少なくとも二本の線材間に、前記長手方向における適宜位置で架設可能に設けられるとともに、前記架設された状態で前記受具に対して固定されるように設けられてなり、前記吊ボルトに取着されることにより、前記受具を該吊ボルトに吊設状態に設置することを特徴とするものである。
【００１２】
即ち、本請求項に係る発明は、天井に垂設された吊ボルトに対して複数の線材を所定間隔をおいて組み付けてなる受具を設置するにあたり、前記受具の長手方向における随意箇所の底壁部分を構成する少なくとも二本の線材の間に吊具を架け渡し、当該吊具を前記吊ボルトに対し固定することにより行うものである。
【００１３】
つまり、当該受具の底壁を構成する少なくとも二本の金属線材を相互に架け渡して吊ボルトに固定することのみを以て、該受具の幅方向に対して傾動することを防止できる。そのため、本発明に係る吊具を用いて前記受具を吊ボルトに垂設するにあたっては、当該受具の両側から吊設することを要せず、該受具の幅方向において一本の吊ボルトへの吊設であっても、該受具底壁の幅方向に対する略水平状態を維持することが可能となるのである。
【００１４】
従って、本発明に係る吊設具を用い、受具幅方向において一本の吊ボルトに対して当該受具の吊設を行った場合には、該受具の幅に応じた間隔にて吊ボルトを吊設する必要がない。そのため、該吊ボルトを垂設するためのインサートを埋設する箇所を、前記受具の幅に応じて厳密に割り出す必要がなく、該インサートの設置作業及び、前記吊ボルトへの吊設作業を簡便に行うことが可能となる。
【００１５】
また、一本の吊ボルトに対し受具底壁を固定することにより吊設した場合には、該受具の側方からケーブルを投入することが可能となるため、ケーブルの布設作業を容易なものとすることができる。このとき、受具が吊設される吊ボルトは、該受具の長手方向に対して一定間隔をおいて配置されるため、該吊ボルト自体が受具布設路上において、セパレータとしての役割をも果たすこととなるのである。
【００１６】
さらに、一本の吊ボルトにて吊設した場合には、受具側壁を二本の吊ボルトで吊設した際に起こり得る「片吊り状態」を確実に防止することが可能となるのである。即ち、二本以上の吊ボルトにて吊設した場合に発生し得る「荷重バランスの偏り」というものが、一本の吊ボルトにて吊設した際には発生し得ないからである。
【００１７】
勿論、本発明においては、幅方向において二本以上の吊ボルトで吊設することを特段排除するものではない。また、本発明においては、前記受具における長手方向に沿って配置される線材に吊具を架設する場合に限られず、幅方向に沿って配置される線材に吊具を架設するものとしてもよいのである。
【００１８】
次に、請求項２に係る発明は、請求項１に記載の配線・配管材用受具の吊具において、当該吊具が架設される少なくとも二本の線材は、前記受具の布設路を構成する線材であり、前記受具を布設路において吊設することを特徴とするものである。
【００１９】
即ち、本請求項に係る発明の吊具は、天井に垂設された吊ボルトに対して受具の布設路にて吊設することにより、当該受具の吊設状態の安定性を高めることが可能となるものである。
【００２０】
つまり、前記受具の布設路上には配線・配管材が布設されるため、当該布設路が受具において最も荷重が加わる箇所となる。このような最も荷重が加わる箇所の線材に対して吊具を架設することにより、配線・配管材が布設された受具の重心に対して、吊ボルトとの接続部分を近づけることが可能となるからである。
【００２１】
請求項３に係る発明は、請求項１に記載の配線・配管材用受具の吊具において、当該吊具が架設される少なくとも二本の線材は、前記受具の長手方向に沿って配設される線材であり、前記受具を、該受具の長手方向における随意の箇所にて吊設することを特徴とするものである。
【００２２】
即ち、本請求項に係る発明の吊具によれば、天井に垂設された吊ボルトに対して受具を吊設するにあたり、当該受具の長手方向に沿って配設される線材に架設することによって、該受具の長手方向における随意の箇所にて吊設することが可能となるのである。
【００２３】
請求項４に係る発明は、請求項１から請求項３の何れかに記載の配線・配管材用受具の吊具において、前記受具の長手方向に沿って配設される線材間における架設位置を該受具の幅方向に移動可能とすべく、架設される線材を変更して該受具に固定可能であることを特徴とするものである。
【００２４】
即ち、本請求項に係る発明の吊具は、受具底壁を構成する何れの金属線材間においても架設（架け渡し）ができるよう構成することにより、該受具底壁における幅方向に対して、架設個所を随意に変更可能となるのである。
【００２５】
そのため、仮に、天井に垂設された吊ボルトが、受具の幅方向に対し、所期の位置からズレていた場合にあっても、受具の底壁において前記ズレを修正することが可能となるので、該受具の吊設作業を効率的に行うことが可能となるのである。
【００２６】
また、請求項５に係る発明は、請求項１から請求項４の何れかに記載の配線・配管材用受具の吊具において、前記吊具は、前記線材を両側から挟持する一対の扶持体で構成され、前記挟持体による線材の挟持により、前記受具に対して固定されることを特徴とするものである。
【００２７】
即ち、本請求項に係る発明の吊具は、受具底壁を構成する金属線材の外周面を上下双方から挟持することにより固定するものである。
【００２８】
かかる構成を採ることにより、簡易な構造にて、受具底壁を構成する複数の金属線材への架け渡しと共に、該金属線材への固定を同時に行うことが可能となるのである。
【００２９】
請求項６に係る発明は、請求項５に記載の配線・配管材用受具の吊具において、前記吊具は、前記吊ボルトが貫通する貫通部を有し、前記貫通部を貫通した吊ボルトに螺嵌された一対の絞付体で前記一対の扶持体を両側から絞付けることにより、前記挟持体により受具に対し固定されるとともに、前記受具を吊ボルトに吊設状態に設置することを特徴とするものである。
【００３０】
即ち、本請求項に係る発明は、受具底壁を構成する金属線材の外周面を上下双方から挟持することにより固定する吊具において、当該吊具に貫通部を穿設し、当該貫通部に吊ボルトを貫通させ、該吊具の両側からナットにて共締めすることにより、前記吊ボルトへ固定するものである。
【００３１】
かかる構成を採ることにより、簡易な構造にて、吊具による受具底壁への固定と共に、吊ボルトへの吊設を同時に行うことが可能となるのである。
【００３２】
請求項７に係る発明の吊設装置は、複数の線材が間隔をおいて組み付けされて構成される配線・配管材用受具と、請求項１から請求項６の何れかに記載の吊具とを有することを特徴とするものである。
【００３３】
そして、請求項８に係る発明の配線・配管材受け具の吊設方法は、複数の線材が間隔をおいて組み付けされて構成される配線・配管材用受具を吊ボルトに吊設する方法であって、吊ボルトが天井等から吊り下げられる所定の吊り下げ位置に対応するように、前記受具を構成する少なくとも二本の線材間に吊設体を架設して固定し、前記吊り下げ位置に吊り下げられた吊ボルトに前記吊設体を固定して、前記受け具を吊ボルトに吊設させることを特徴とするものである。
【００３４】
即ち、本請求項に係る発明は、天井に垂設された吊ボルトに対して複数の線材を所定間隔をおいて組み付けてなる受具を設置するにあたり、当該記受具を構成する少なくとも二本の線材の間に吊設体を架け渡し、当該吊設体を前記吊ボルトに対し固定することにより行う吊設方法である。
【００３５】
つまり、上記受具を構成する少なくとも二本の金属線材の間に吊設具を架け渡して吊ボルトに固定することのみを以て、該受具の幅方向に対して傾動することを防止できるのである。
【００３６】
そのため、上記方法にて受具を吊ボルトに垂設するにあたっては、当該受具の両側から吊設することを要せず、該受具の幅方向において一本の吊ボルトへの吊設であっても、該受具底壁の幅方向に対する略水平状態を維持することが可能となるのである。
【００３７】
従って、（受具幅方向において）一本の吊ボルトに対して当該受具の吊設を行う際には、該受具の幅に応じた間隔にて吊ボルトを吊設する必要がない。そのため、該吊ボルトを垂設するためのインサートを埋設する箇所を、前記受具の幅に応じて厳密に割り出す必要がなく、該インサートの設置作業及び、前記吊ボルトへの吊設作業を簡便に行うことが可能となる。
【００３８】
また、吊り下げ位置に吊り下げられた吊ボルトに対し、吊設体を固定することによって受具を吊設することから、吊ボルトの垂設箇所が所期の位置からズレていた場合にあっても、受具に対する吊設体の固定箇所を随意に変更することによって前記ズレを修正することが可能となるので、該受具の吊設作業を効率的に行うことが可能となるのである。
【００３９】
【発明の実施の形態】
以下、本発明の好適な実施形態を実施例を用いて説明する。
（実施例）
図１は、実施例１に係る吊具（吊設体）を示すものである。本実施例に係る吊具は、同図面に示すように上側挟持体と下側挟持体とからなるものであり、「線材収容部」、「補強リブ」及び「貫通部」等の構成部分を備えるものである。
【００４０】
当該吊具に係る挟持体は、金属製の平板にプレス加工を行うことにより前記構成部分を形成する。以下、これら構成部分を説明する。
【００４１】
まず、線材収容部というのは、受具を構成する複数の金属線材をそれぞれ収容するものであり、絞付体が挟持体を挟圧することによって、当該収容部に収容された金属線材を挟持するものである。本実施例においては上側挟持体に設けているが、特段この位置に限定されるものではない。
【００４２】
次に、補強リブというのは、金属線材を架設する方向に向けて形成するものであり、受具からの荷重によって挟持体自体が変形してしまうことを防止するものである。本実施例においては、上側挟持体及び下側挟持体のそれぞれに対し、プレス加工を施すことにより凸部を形成したが、特段この構成に限定されるものではなく、別体の部材を溶接することにより設け、補強作用を発生させるものとしてもよい。
【００４３】
また、貫通部というのは、天井に垂設された吊ボルトを挿通させるものである。該吊ボルトへは絞付体を螺入し、該絞付体にて当該貫通部の周縁を挟圧するのである。
【００４４】
なお、当該貫通部は特段本実施例の構成に限定されるものではなく、上下一対の挟持体の各々に長孔を形成し、該長孔に吊ボルトを挿通させ、該吊具の上下から絞付体を螺着して固定することにより、前記吊ボルトと受具との、幅方向に対する位置の微調整を可能に構成してもよい。
【００４５】
次に、本実施例に係る吊具の使用態様につき説明する。
【００４６】
まず、図２に示すように、複数の金属線材を組み付けてなる受具における底壁を構成する二本の金属線材の外周面を、前記上下一対の挟持体にて架設し、当該挟持体に穿設された貫通部に対し、予め天井に垂設された吊ボルト挿通させる。尚、該吊ボルトには予め所定の位置に一又は二以上の絞付体（例えば、ナット体）を螺入しておき、該絞付体へ上側挟持体に当接させることにより、所望の高さへ受具を設置することが容易となる。
【００４７】
そして、上記貫通部に吊ボルトを挿通した後、図３に示すように、吊ボルトの下端から他の絞付体を螺入し、先に螺入した絞付体と共に螺嵌することにより、前記上下一対の挟持体を挟圧する。前記絞付体が挟持体を挟圧することにより、当該挟持体が収容部内に収容する金属線材を挟持することとなる。そのため、一対の挟持体からなる吊設具は受具の長手方向に対し移動不可に固定されると共に、受具を吊ボルトに吊設することとなるのである。
【００４８】
なお、吊ボルトに吊設される受具は、その長手方向の金属線材を一定のピッチにて配置することにより、該受具の幅方向に対してあらゆる箇所に設置可能となる。即ち、吊ボルトに対して受具を吊設するにあたり、該吊ボルトの垂設位置が所期の位置よりもズレていた場合においても、図３に示すように、受具に対する吊具の設置個所を受具幅方向に移動させることにより、前記ズレにも対応可能となるのである。
【００４９】
また、図１又は図２に示すように、上側挟持体に穿設する貫通部にあっては、前記貫通部に追加して、隣接する箇所へ穿設することも好適と考えられる。即ち、例えば、受具長手方向に配置した線材に対して吊具を架設した際において、当該受具の吊設箇所によっては、該受具幅方向に配置した線材が上側挟持体と当接してしまい、受具の吊設が困難となる場合もある。かかる場合には、上側挟持体を線材の長手方向へずらして設置し、隣接する箇所に穿設した貫通部へと吊ボルトを挿通させることにより、受具を吊設することが可能となるのである。
【００５０】
【発明の効果】
本発明の効果を以下に示す。
【００５１】
まず、請求項１に係る発明は、複数の線材が間隔をおいて組み付けされて構成される配線・配管材用受具を吊ボルトに吊設するための吊具であって、前記受具の底壁を構成すべく配設される少なくとも二本の線材間に、前記長手方向における適宜位置で架設可能に設けられるとともに、前記架設された状態で前記受具に対して固定されるように設けられてなり、前記吊ボルトに取着されることにより、前記受具を該吊ボルトに吊設状態に設置することにその構成を有するものである。
【００５２】
そして、本請求項に係る発明によれば、受具の幅方向において一本の吊ボルトによる吊設が可能となるため、該吊ボルトを垂設するためのインサートを埋設する箇所を、前記受具の幅に応じて厳密に割り出す必要がなく、該インサートの設置作業及び、前記吊ボルトへの吊設作業を簡便に行うことが可能となる。
【００５３】
さらに、一本の吊ボルトにて吊設することにより、「片吊り状態」を確実に防止することが可能となるのである。
【００５４】
次に、請求項２に係る発明は、請求項１に記載の配線・配管材用受具の吊具において、当該吊具が架設される少なくとも二本の線材は、前記受具の布設路を構成する線材であり、前記受具を布設路において吊設することにその構成を有するものである。
【００５５】
そして、本請求項に係る発明によれば、受具の吊設状態の安定性を高めることが可能となるのである。
【００５６】
請求項３に係る発明は、請求項１に記載の配線・配管材用受具の吊具において、当該吊具が架設される少なくとも二本の線材は、前記受具の長手方向に沿って配設される線材であり、前記受具を、該受具の長手方向における随意の箇所にて吊設することにその構成を有するものである。
【００５７】
そして、本請求項に係る発明によれば、天井に垂設された吊ボルトに対して受具を吊設するにあたり、当該受具の長手方向に沿って配設される線材に架設することによって、該受具の長手方向における随意の箇所にて吊設することが可能となるのである。
【００５８】
請求項４に係る発明は、請求項１から請求項３の何れかに記載の配線・配管材用受具の吊具において、前記受具の長手方向に沿って配設される線材間における架設位置を該受具の幅方向に移動可能とすべく、架設される線材を変更して該受具に固定可能であることにその構成を有するものである。
【００５９】
そして、本請求項に係る発明によれば、天井に垂設された吊ボルトが、受具の幅方向に対し、所期の位置からズレていた場合にあっても、受具の底壁において前記ズレを修正することが可能となるので、該受具の吊設作業を効率的に行うことが可能となるのである。
【００６０】
また、請求項５に係る発明は、請求項１から請求項４の何れかに記載の配線・配管材用受具の吊具において、前記吊具は、前記線材を両側から挟持する一対の扶持体で構成され、前記挟持体による線材の挟持により、前記受具に対して固定されることにその構成を有するものである。
【００６１】
そして、本請求項に係る発明によれば、簡易な構造にて、受具底壁を構成する複数の金属線材への架け渡しと共に、該金属線材への固定を同時に行うことが可能となるのである。
【００６２】
請求項６に係る発明は、請求項５に記載の配線・配管材用受具の吊具において、前記吊具は、前記吊ボルトが貫通する貫通部を有し、前記貫通部を貫通した吊ボルトに螺嵌された一対の絞付体で前記一対の扶持体を両側から絞付けることにより、前記挟持体により受具に対し固定されるとともに、前記受具を吊ボルトに吊設状態に設置することにその構成を有するものである。
【００６３】
そして、本請求項に係る発明によれば、簡易な構造にて、吊具による受具底壁への固定と共に、吊ボルトへの吊設を同時に行うことが可能となるのである。
【００６４】
そして、請求項８に係る発明の配線・配管材受け具の吊設方法は、複数の線材が間隔をおいて組み付けされて構成される配線・配管材用受具を吊ボルトに吊設する方法であって、吊ボルトが天井等から吊り下げられる所定の吊り下げ位置に対応するように、前記受具を構成する少なくとも二本の線材間に吊設体を架設して固定し、前記吊り下げ位置に吊り下げられた吊ボルトに前記吊設体を固定して、前記受け具を吊ボルトに吊設させることにその構成を有するものである。
【００６５】
そして、本請求項に係る発明によれば、受具の幅方向において一本の吊ボルトによる吊設が可能となるため、該吊ボルトを垂設するためのインサートを埋設する箇所を、前記受具の幅に応じて厳密に割り出す必要がなく、該インサートの設置作業及び、前記吊ボルトへの吊設作業を簡便に行うことが可能となる。
【００６６】
また、吊り下げ位置に吊り下げられた吊ボルトに対し、吊設体を固定することによって受具を吊設することから、吊ボルトの垂設箇所が所期の位置からズレていた場合にあっても、受具に対する吊設体の固定箇所を随意に変更することによって前記ズレを修正することが可能となるので、該受具の吊設作業を効率的に行うことが可能となるのである。
【図面の簡単な説明】
【図１】本発明に係る吊具を示す図である。
【図２】図１に示す吊具の使用状態を示す図であって、複数の金属線材を組み付けてなる受具を、吊ボルトに吊設する状態を示す図である。
【図３】図２に示す受具を、図１に示す吊具を用いて吊設した状態を示す図である。
【図４】従来技術に係る吊り金具を示す図である。
【図５】図４に示す吊り金具を用いて、受具を吊設した状態を示す図である。
【図６】他の従来技術に係る吊り金具を用いて、受具を吊設した状態を示す図である。
【図１】
2004015850.tif 000003
【図２】
2004015850.tif 000004
【図３】
2004015850.tif 000005
【図４】
2004015850.tif 000006
【図５】
2004015850.tif 000007
【図６】
2004015850.tif 000008